【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
外側シェルと、
該外側シェルの内側面上に支持された取り外し可能な使い捨て吸収性コアインサートと、を含み、前記コアインサートは、前記外側シェルの前記内側面に取り付けられ、前記外側シェルの前記内側面から取り外し可能であり、
前記内側面は、前記吸収性コアインサートを受け入れるための保持構造をさらに含み、前記コアインサートは、前記保持構造に取り付け可能であり、かつ、前記保持構造から取り外し可能である、使い捨て吸収性物品。
【請求項２】
前記保持構造に取り付け可能であり、かつ、前記保持構造から取り外し可能である第２の吸収性コアインサートをさらに含む、請求項１に記載の使い捨て吸収性物品。
【請求項３】
前記保持構造は、前記コアインサートおよび前記外側シェル上に設けられたフックおよびループシステムの一部を形成する、請求項１に記載の使い捨て吸収性物品。
【請求項４】
前記保持構造は、前記コアインサートまたは前記外側シャル上に設けられた接着材を含む、請求項１に記載の使い捨て吸収性物品。
【請求項５】
前記コアインサートを前記外側シェルに取り付ける接着ストリップをさらに含む、請求項１に記載の使い捨て吸収性物品。
【請求項６】
前記コアインサートは、該コアインサートを前記外側シェルに取り付けるために前記外側シェル上に設けられた窪みに係合される突出部を含む、請求項１に記載の使い捨て吸収性物品。
【請求項７】
前記外側シェルは、折り曲げフラップを形成するように折り曲げられた１つまたはそれ以上の端領域をさらに含み、前記コアの端領域が、前記コアを前記外側シェルに取り付けるように前記フラップの下に取り付けられ、前記保持構造は、前記折り曲げフラップを含む、請求項１に記載の使い捨て吸収性物品。
【請求項８】
前記保持構造は、前記コアインサートを前記外側シェル内に保持するリセプタクルを含み、前記コアインサートは、前記リセプタクルおよび前記外側シェルから取り外し可能である、請求項１に記載の使い捨て吸収性物品。
【請求項９】
前記保持構造は、前記外側シェル上に設けられたリセプタクルに取り外し可能に保持されるように前記コアインサート上に形成された突出部分を含む、請求項１に記載の使い捨て吸収性物品。
【請求項１０】
前記保持構造は、前記コアインサートの基層上に配置され、前記内側面に係合するように外方に突出する複数のファスナを含み、前記ファスナは、該ファスナ、前記コアインサート、および、前記外側シェルの間に空隙スペースを構成するように間隔を隔てて配置されており、前記空隙スペースは、前記コアインサートの下の中央領域から外方に延びる空気チャンネルを提供する、請求項１に記載の使い捨て吸収性物品。
【請求項１１】
前記コアインサートの基部層上に設けられた複数の間隔を隔てて配置された突出部をさらに含み、前記突出部は、前記コアインサートと前記内側面との間に空気チャンネルを形成するように前記内側面に係合する、請求項１に記載の使い捨て吸収性物品。
【請求項１２】
使い捨て吸収性物品の外側シェルに取り付けるための使い捨て吸収性コアインサートであって、該使い捨て吸収性コアインサートは、
頂部材料層と、
基部材料層と、
前記頂部材料層と前記基部材料層との間に配置された吸収性コア材料層と、
前記コアインサートが、使い捨て吸収性物品の外側シェルから取り外し可能であるように、前記コアインサートを使い捨て吸収性物品の再使用可能な外側シェルに取り付けるためのファスナと、を含む、使い捨て吸収性コアインサート
【請求項１３】
前記ファスナは、前記外側シェル上に設けられたリセプタクルに取り外し可能に係合するように前記基部材料層上に形成された突出部分を含む、請求項１２に記載の使い捨て吸収性コアインサート。
【請求項１４】
使い捨て吸収性組立体であって、該使い捨て吸収性組立体は、
外側シェルと、
前記外側シェルと取り外し可能に係合可能な使い捨て吸収性コアインサートと、を含み、前記コアインサートは、吸収性組成を有する吸収性コア材料セクションを含む、使い捨て吸収性組立体。
【請求項１５】
前記外側シェルは、リセプタクルを含み、前記コアインサートは、前記リセプタクルに取り外し可能に保持されるように形成された突出部分を含む、請求項１４に記載の使い捨て吸収性組立体。
【請求項１６】
前記外側シェルおよび前記コアインサートの一方は、フックおよびループ締結組み合わせのフック部分を含み、前記フック部分は、複数のフック要素を含む、請求項１４に記載の使い捨て吸収性組立体。
【請求項１７】
使い捨て吸収性組立体を製造する方法であって、該方法は、
再使用可能な外側シェルおよび使い捨てコアインサートを準備し、
前記コアインサートを前記外側シェル内に取り外し可能に係合させ、それにより、使用のための使い捨て吸収性物品を組み立てることを含み、前記コアインサートは、前記吸収性物品の取り外し可能な吸収性コアを提供する、方法。
【請求項１８】
前記取り外し可能に係合させることは、前記コアインサート上に設けられた突出部を前記外側シェル上に設けられたリセプタクルに取り付けることを含み、前記取り外しは、前記リセプタクルから前記突出部を取り外すことを含む、請求項１７に記載の方法。
【手続補正２】
【補正対象書類名】明細書
【補正対象項目名】０１１５
【補正方法】変更
【補正の内容】
【０１１５】
本発明およびその利点を詳細に説明してきたけれども、添付の特許請求の範囲に記載されている本発明の精神および範囲から逸脱することなく、種々の変更、交換、および、代替を行うことができることを理解すべきである。さらに、本願の範囲は、本明細書に記載されたプロセス、機械、製造、事項の組み合わせ、手段、方法、および、工程の特定の実施形態に限定されることを意図していない。当業者は、本願の開示から容易に理解するように、本願に記載されている対応する実施形態と実質的同じ機能を実行し、または、実質的に同じ結果を達成する、現在存在する、或いは、後に開発されるプロセス、機械、製造、事項の組み合わせ、手段、方法、または、工程を、本発明にしたがって利用することができる。したがって、添付の特許請求の範囲は、それらの精神内に、かかるプロセス、機械、製造、事項の組み合わせ、手段、方法、または、工程を含むことを意図している。
以下に本発明の実施態様を記載する。
（実施態様１）外側シェルと、
該外側シェルの内側面上に支持された取り外し可能な使い捨て吸収性コアインサートと、を含み、前記コアインサートは、前記外側シェルの前記内側面に取り付けられ、前記外側シェルの前記内側面から取り外し可能であり、
前記内側面は、前記吸収性コアインサートを受け入れるための保持構造をさらに含み、前記コアインサートは、前記保持構造に取り付け可能であり、かつ、前記保持構造から取り外し可能である、使い捨て吸収性物品。
（実施態様２）前記保持構造に取り付け可能であり、かつ、前記保持構造から取り外し可能である第２の吸収性コアインサートをさらに含む、実施態様１に記載の使い捨て吸収性物品。
（実施態様３）前記外側シェルは、前記内側面上に着床部を含み、前記第１のコアシェルおよび前記第２のコアシェルの各々は、前記保持構造に取り付けられるときに前記着床部上に配置される、実施態様２に記載の使い捨て吸収性物品。
（実施態様４）前記保持構造は、前記コアインサートおよび前記外側シェル上に設けられたフックおよびループシステムの一部を形成する、実施態様１に記載の使い捨て吸収性物品。
（実施態様５）前記保持構造は、前記コアインサートまたは前記外側シャル上に設けられた接着材を含む、実施態様１に記載の使い捨て吸収性物品。
（実施態様６）前記コアインサートを前記外側シェルに取り付ける接着ストリップをさらに含む、実施態様１に記載の使い捨て吸収性物品。
（実施態様７）前記コアインサートは、該コアインサートを前記外側シェルに取り付けるために前記外側シェル上に設けられた窪みに係合される突出部を含む、実施態様５に記載の使い捨て吸収性物品。
（実施態様８）前記窪みは、前記突出部を受け入れるためのリセプタクルである、実施態様７に記載の使い捨て吸収性物品。
（実施態様９）前記突出部は、１つまたはそれ以上の弾性体によって形状決めされている、実施態様８に記載の使い捨て吸収性物品。
（実施態様１０）前記窪みは、１つまたはそれ以上の弾性体によって形状決めされている、実施態様８に記載の使い捨て吸収性物品。
（実施態様１１）前記コアインサートは、頂部層と基部層との間に配置された吸収性材料層をさらに含む、実施態様１に記載の使い捨て吸収性物品。
（実施態様１２）前記コアインサートは、前記吸収性材料層の各側に沿って配置され、前記吸収性材料層の各側から間隔を隔てて配置された１つまたはそれ以上の弾性体をさらに含む、実施態様１１に記載の使い捨て吸収性物品。
（実施態様１３）前記コアインサートは、前記吸収性材料層の各側に沿って配置された１つまたはそれ以上の弾性体をさらに含み、前記弾性体の部分は、前記吸収性材料層に接触している、実施態様１１に記載の使い捨て吸収性物品。
（実施態様１４）前記コアインサートは、前記吸収性材料層の２つの対向側縁部の各々に沿って配置された立ち上がり脚部カフをさらに含み、前記脚部カフは、１つまたはそれ以上の弾性撚糸を含む、実施態様１１に記載の使い捨て吸収性物品。
（実施態様１５）前記コアインサートは、前記コアセクションのまわりに形成された円形バリアを形成する立ち上がり脚部カフをさらに含み、前記脚部カフは、１つまたはそれ以上の弾性撚糸を含む、実施態様１１に記載の使い捨て吸収性物品。
（実施態様１６）前記外側シェルは、前記コアインサートの前記脚部カフから外方に配置された弾性化脚部カフをさらに含む、実施態様１５に記載の使い捨て吸収性物品。
（実施態様１７）前記吸収性材料層に沿って配置された湾曲弾性体をさらに含む、実施態様１１に記載の使い捨て吸収性物品。
（実施態様１８）前記外側シェルは、折り曲げフラップを形成するように折り曲げられた１つまたはそれ以上の端領域をさらに含み、前記コアの端領域が、前記コアを前記外側シェルに取り付けるように前記フラップの下に取り付けられ、前記保持構造は、前記折り曲げフラップを含む、実施態様１に記載の使い捨て吸収性物品。
（実施態様１９）前記折り曲げフラップは、前記端領域にダムバリアを形成する、実施態様１８に記載の使い捨て吸収性物品。
（実施態様２０）前記フラップと前記外側シェルとの間に、前記インサートを受け入れるための間隙が設けられている、実施態様１８に記載の使い捨て吸収性物品。
（実施態様２２）前記保持構造は、前記コアインサートを前記外側シェル内に保持するリセプタクルを含み、前記コアインサートは、前記リセプタクルおよび前記外側シェルから取り外し可能である、実施態様１に記載の使い捨て吸収性物品。
（実施態様２３）前記リセプタクルは、少なくとも部分的に、前記リセプタクルの形状を形成するクリップを含む、実施態様２２に記載の使い捨て吸収性物品。
（実施態様２４）前記保持構造は、前記外側シェル上に設けられたリセプタクルに取り外し可能に保持されるように前記コアインサート上に形成された突出部分を含む、実施態様１に記載の使い捨て吸収性物品。
（実施態様２５）前記突出部分を部分的に形成する補剛部をさらに含む、実施態様２４に記載の使い捨て吸収性物品。
（実施態様２６）前記保持構造は、前記コアインサートの基層上に配置され、前記内側面に係合するように外方に突出する複数のファスナを含み、前記ファスナは、該ファスナ、前記コアインサート、および、前記外側シェルの間に空隙スペースを構成するように間隔を隔てて配置されており、前記空隙スペースは、前記コアインサートの下の中央領域から外方に延びる空気チャンネルを提供する、実施態様１に記載の使い捨て吸収性物品。
（実施態様２７）前記コアインサートの前記基部層上に設けられた複数の間隔を隔てて配置された突出部をさらに含み、前記突出部は、前記コアインサートと前記内側面との間に空気チャンネルを形成するように前記内側面に係合する、実施態様１に記載の使い捨て吸収性物品。
（実施態様２８）前記突出部は、前記外側シェルの前記内側面に係合するフックファスナを含む、実施態様２７に記載の使い捨て吸収性物品。
（実施態様２９）前記突出部は、細長い締結ストリップである、実施態様２８に記載の使い捨て吸収性物品。
（実施態様３０）使い捨て吸収性物品の外側シェルに取り付けるための使い捨て吸収性コアインサートであって、該使い捨て吸収性コアインサートは、
頂部材料層と、
基部材料層と、
前記頂部材料層と前記基部材料層との間に配置された吸収性コア材料層と、
前記コアインサートが、使い捨て吸収性物品の外側シェルから取り外し可能であるように、前記コアインサートを使い捨て吸収性物品の再使用可能な外側シェルに取り付けるためのファスナと、を含む、使い捨て吸収性コアインサート
（実施態様３１）前記ファスナは、前記外側シェル上に設けられたリセプタクルに取り外し可能に係合するように前記基部材料層上に形成された突出部分を含む、実施態様３０に記載の使い捨て吸収性コアインサート。
（実施態様３２）前記突出部分を部分的に形成するように前記突出部分のまわりに配置された弾性撚糸をさらに含む、実施態様３１に記載の使い捨て吸収性コアインサート。
（実施態様３３）前記突出部分を部分的に形成する補剛部をさらに含む、実施態様３１に記載の使い捨て吸収性コアインサート。
（実施態様３４）前記補剛部は、前記基部材料層上に折り曲げ線を形成するように前記基部材料層上に配置された材料ストリップであり、前記材料ストリップは、前記基部材料層よりも大きい剛性を有する、実施態様３３に記載の使い捨て吸収性コアインサート。
（実施態様３５）前記頂部材料層および前記基部材料層は、不織材料で作られている、実施態様３０に記載の使い捨て吸収性コアインサート。
（実施態様３６）使い捨て吸収性組立体であって、該使い捨て吸収性組立体は、
外側シェルと、
前記外側シェルと取り外し可能に係合可能な使い捨て吸収性コアインサートと、を含み、前記コアインサートは、吸収性組成を有する吸収性コア材料セクションを含む、使い捨て吸収性組立体。
（実施態様３７）前記外側シェルは、リセプタクルを含み、前記コアインサートは、前記リセプタクルに取り外し可能に保持されるように形成された突出部分を含む、実施態様３６に記載の使い捨て吸収性組立体。
（実施態様３８）前記リセプタクルは、クリップにより部分的に形成されている、実施態様３７に記載の使い捨て吸収性組立体。
（実施態様３９）前記外側シェルおよび前記コアインサートの一方は、フックおよびループ締結組み合わせのフック部分を含み、前記フック部分は、複数のフック要素を含む、実施態様３６に記載の使い捨て吸収性組立体。
（実施態様４０）前記外側シェルおよび前記コアインサートの他方は、フックおよびループ締結組み合わせのループ部分を含む、実施態様３９に記載の使い捨て吸収性組立体。
（実施態様４１）前記ループ部分は、不織材料の表面によって提供される、実施態様４０に記載の使い捨て吸収性組立体。
（実施態様４２）不織材料の前記表面は、前記コアインサートの裏面シートの一部である、実施態様４１に記載の使い捨て吸収性組立体。
（実施態様４３）不織材料の前記表面は、前記外側シェルの身体側表面の一部である、実施態様４１に記載の使い捨て吸収性組立体。
（実施態様４４）不織材料の前記表面は、前記フック要素と係合可能なループ要素を保護するように弾性要素によってギャザー化されている、実施態様４１に記載の使い捨て吸収性組立体。
（実施態様４５）使い捨て吸収性組立体を製造する方法であって、該方法は、
再使用可能な外側シェルおよび使い捨てコアインサートを準備し、
前記コアインサートを前記外側シェル内に取り外し可能に係合させ、それにより、使用のための使い捨て吸収性物品を組み立てることを含み、前記コアインサートは、前記吸収性物品の取り外し可能な吸収性コアを提供する、方法。
（実施態様４６）前記コアインサートを前記外側シェルから取り外し、
第２のコアインサートを前記外側シェル内に取り外し可能に係合させ、それにより、使用のための使い捨て吸収性物品を組み立てることをさらに含む、実施態様４５に記載の方法。
（実施態様４７）前記第２のコアインサートは、前記第１のコアインサートと同じ位置で前記外側シェル内に位置決めされる、実施態様４６に記載の方法。
（実施態様４８）前記取り外し可能に係合させることは、前記コアインサート上に設けられた突出部を前記外側シェル上に設けられたリセプタクルに取り付けることを含み、前記取り外しは、前記リセプタクルから前記突出部を取り外すことを含む、実施態様４５に記載の方法。